(57)【要約】【課題】プローブを直接高圧雰囲気に挿入してもガス漏れがなく、構成が簡単で安価なプローブ取付装置をを提供する。【解決手段】パイプの一端にフランジが取り付けられ他端が管路に挿入された取付台と、前記フランジ側から一部がパイプ内に挿入して設けられ中央部に孔を有する第１シール部材と、この第１シール部材を覆ってフランジ上に取り付けられた第２シール部材と、この第２シール部材の上部に固定された支持部材と、前記フランジに設けられた前記第１シール部材と第２シール部材の間の空間に貫通する貫通孔と、からなり、前記支持部材、第１、第２シール部材を貫通して前記管路に達するプローブを挿入するとともに、前記貫通孔から気体を注入する気体注入手段を設けた。【選択図】      図１
2004205251.tif 000002
【特許請求の範囲】
【請求項１】
パイプの一端にフランジが取り付けられ他端が管路に挿入された取付台と、前記フランジ側から一部がパイプ内に挿入して設けられ中央部に孔を有する第１シール部材と、この第１シール部材を覆ってフランジ上に取り付けられた第２シール部材と、この第２シール部材の上部に固定された支持部材と、前記フランジに設けられた前記第１シール部材と第２シール部材の間の空間に貫通する貫通孔と、からなり、前記支持部材、第１，第２シール部材を貫通して前記管路に達するプローブを挿入するとともに、前記貫通孔から気体を注入する気体注入手段を設けたことを特徴とするプローブ取付装置。
【請求項２】
前記管路には毒性もしくは可燃性を有する高圧ガスが流れており、前記気体注入手段は前記管路内の圧力と同じか僅かに高い圧力の気体を注入することを特徴とする請求項１記載のプローブ取付装置。
【請求項３】
前記第１シール部材は絶縁部材で形成されていることを特徴とする請求項１又は２記載のプローブ取付装置。
【発明の詳細な説明】
【０００１】
【発明の属する技術分野】
本発明は、管路にプローブを差し込んで管路内を高圧状態で流れる毒性もしくは可燃性を有する流体の成分やダストの大きさを測定する際に用いられる測定装置のプローブ取付装置に関する。
【０００２】
【従来の技術】
従来、煙道等の管路にプローブを差し込んで管路を流れるガスの成分を測定する装置が知られている。このような測定装置のプローブの取付装置の先行技術文献として例えば次のようなものがある。
【０００３】
【特許文献】
特開平２０００−１４６８８５号公報
【０００４】
上記先行技術文献に記載された技術は、図２に示すようにプローブの先端付近にＣＯガス検出部を設けたＣＯガス分析計と、プローブの先端付近にＯ2ガス検出部を有する酸素分析計からなり、これら各分析計のプローブをサンプルガスが流れる室に挿入し、各分析計は検出部を所要の反応温度に維持するための加熱手段を設けたもので、
一方の分析計に不具合が生じて取外す様なことがあっても、他方の分析計は測定を続けることができるように構成したものであって、流体の漏れに対する技術に関するものではない。
【０００５】
図３は管路内を高圧状態で流れる毒性もしくは可燃性を有する流体の成分やダストの大きさを測定する際の実施例を示すもので、この例では煙道（管路）のダストを減圧状態で測定する例を示している。
【０００６】
図において、１はダストを含む高圧ガスが流れる煙道である。２は圧力調整弁であり、この圧力調整弁の一方は配管１ａを介して煙道１と接続され、他方は配管１ｂおよびバルブ３を介して測定室４の一端と接続されており、この測定室４の他端はバルブ５を介して返送ラインに接続されている。
測定室４には外部からダストモニタ６のプローブ６ａが気密に挿入されている。
【０００７】
バルブ７と８の間にはバルブ９の一端が接続され、バルブ３と測定室４の間にはＮ２や蒸気などを注入するバルブ（図示省略）が接続されている。
【０００８】
上述の構成において、測定すべき圧力の高い煙道ガスは圧力調整弁２で減圧され、バルブ３を介して測定室４の一端に導入される。導入された煙道ガスは測定室４の他端からバルブ５を介して返送されるが、測定室４内を通る間にダストモニタ６により煙道ガスに含まれるダストの量が測定される。
【０００９】
なお、バルブ９からはＮ２ガスが導入されて配管のパージが行われ、バルブ３と測定室４の間に導入されるＮ２や蒸気等は測定室内やプローブ６ａの洗浄やパージを行う。
【００１０】
【発明が解決しようとする課題】
ところで、図３に示す測定装置においては、高圧のガスを減圧するため圧力調整弁２を用い、測定室４内の汚れ落としや詰まり解消のためにパージを行うことが必要となる。そのために構成部品が多くなり操作も複雑になるという問題があった。
【００１１】
本発明は上記従来技術の問題点を解消するためになされもので、プローブを直接高圧雰囲気に挿入してもガス漏れがなく、構成が簡単で安価なプローブ取付装置を実現することを目的としている。
【００１２】
【課題を解決するための手段】
このような問題点を解決するために本発明は、請求項１においては、
請求項１においては、プローブ取付装置において、
パイプの一端にフランジが取り付けられ他端が管路に挿入された取付台と、前記フランジ側から一部がパイプ内に挿入して設けられ中央部に孔を有する第１シール部材と、この第１シール部材を覆ってフランジ上に取り付けられた第２シール部材と、この第２シール部材の上部に固定された支持部材と、前記フランジに設けられた前記第１シール部材と第２シール部材の間の空間に貫通する貫通孔と、からなり、前記支持部材、第１，第２シール部材を貫通して前記管路に達するプローブを挿入するとともに、前記貫通孔から気体を注入する気体注入手段を設けたことを特徴とする。
【００１３】
請求項２においては、請求項１記載のプローブ取付装置において、
前記管路には毒性もしくは可燃性を有する高圧ガスが流れており、前記気体注入手段は前記管路内の圧力と同じか僅かに高い圧力の気体を注入することを特徴とする。
【００１４】
請求項３においては、請求項１又は２記載のプローブ取付装置のプローブ取付装置において、
前記第１シール部材は絶縁部材で形成されていることを特徴とする。。
【００１５】
【発明の実施の形態】
以下図面を用いて本発明を詳しく説明する。
図１は本発明のプローブ取付装置の実施形態の一例を示す構成図である。
図１において、１０は例えばステンレス鋼からなる取付台であり、一端が煙道（配管）１に挿入されたパイプ１０ａおよびこのパイプの他端に固定されたフランジ１０ｂから構成されている。１２は絶縁部材（例えばＰＥＥＫ材）からなる第１シール部材で、円筒状の第１挿入体１２ａ、１２ａの押え板１２ｃおよび第１キャップ１２ｂから構成されている。
【００１６】
第１挿入体１２ａは一部がフランジ１０ｂ側からパイプ１０ａ内に挿入され、他の部分はフランジ１０ｂから突き出た状態で配置されている。
第１キャップ１２ｂは断面がコ字状に形成されており、第１挿入体１２ａ及び１２ａを押える押え板１２ｂに被さった状態でパイプ１０ａの端部に形成されたねじにねじ込まれる。
第１挿入体１２ａは２つのＯリング１３ａ,１３ｂによりパイプ１０ａとの間で気密にシールされている。
【００１７】
１５は第２シール部材であり、鍔部１５ｃと外周にねじを有する凸部１５ｄを有するキャップ部材１５ｅと第２挿入体１５ａ，第２キャップ１５ｂ及び押え板１５ｆから構成されている。ここでキャップ部材１５ｅは例えばステンレス鋼、第２挿入体１５ａ，第２キャップ１５ｂ及び押え板１５ｆは絶縁部材（例えばＰＥＥＫ材が用いられる）。
【００１８】
凸部１５ｄには中央に貫通孔が形成されており、貫通孔のシールを行う第２挿入体１５ａ，第２キャップ１５ｂ及び押え板１５ｆは、第１シール部材１２とは大きさが異なるのみで構造は同様である。凸部１５ｄの貫通孔に挿入された第２挿入体１５ａとの間はOリング１３ｃにより気密にシールされている。
【００１９】
第２シール部材１５を構成するキャップ部材１５ｅの内周は第１キャップ１２ｂの外周より大きく形成され、鍔部１５ｃをフランジ１０ｂにねじ等（図示省略）で固定したときに天井部分が第１キャップ１２ｂに接触しない程度の深さに形成されている。
【００２０】
第２キャップ１５ｂは第１キャップ１２ｂと同様に断面がコ字状に形成され、内周にねじが形成されており、凸部１５ｄの外周に形成されたねじにねじ込まれている。
【００２１】
２０は支持板で第２キャップ１５ｂの上方に位置するように一端がフランジ１０ｂに他端が支持板２０に固定された支柱２１により支持されている。この支持板２０の中央部には孔２０ａが形成されており、この孔にダストモニタ６の固定部６ｂが固定されている。この固定部６ｂの一端にはプローブ６ａが取り付けられており、プローブ６ａは第２キャップ１５ｂ、第２挿入体１５ａを有する第２シール部材１５および第１キャップ１２ｂ、第１挿入体１２ａを有する第１シール部材１２を貫通して配管１の中央付近まで達するように取り付けられている。
【００２２】
このプローブ６ａの外周は第１挿入体１２ａの内周との間に設けられたＯリング１３ｄ，１３ｅおよび第２挿入体１５ａの内周との間に設けられたＯリング１３ｆで気密にシールされ煙道内を高圧で流れるガスが外部に漏れるのを防止している。
【００２３】
また、第１シール部材１２と第２シール部材１５の間には空間２２が形成されており、この空間２２と連通するようにフランジ１０ｂの所定の位置に貫通孔２３が形成されている。この貫通孔２３には図示しない気体注入手段から煙道１内を高圧で流れるガスの圧力とほぼ同じか、わずかに高い圧力で空気やＮ２ガスが注入される。
このように空間２２に外部から気体を注入すればＯリング１３ａ〜１３ｆが劣化して漏れが発生しても配管内のガスが外部に漏れ出すことを防止することができる。
【００２４】
なお、本実施例では煙道ガスの測定手段としてダストモニタ６を用いた例について説明したが、ダストモニタはプローブにダストが衝突したときに発生する摩擦静電気の量を測定しているため、プローブ６ａに近接する部材第１，第２挿入体１２ａ,１５ａおよび第１，第２キャップ１２ｂ,１５ｂは絶縁部材（例えばＰＥＥＫ材）で形成する必要がある。
【００２５】
本発明の以上の説明は、説明および例示を目的として特定の好適な実施例を示したに過ぎない。したがって本発明はその本質から逸脱せずに多くの変更、変形をなし得ることは当業者に明らかである。例えば測定装置はダストモニタに限るものではない（その場合、摩擦静電気を利用して計測するものでなければプローブに接する部材第１，第２挿入体１２ａ,１５ａおよび第１，第２キャップ１２ｂ,１５ｂは絶縁部材でなくてもよい）。また、第１，第２シール部材の形状は図示したものに限定するものではなく、支持板２０の形状や支柱の数や形状も任意に作製可能である。特許請求の範囲の欄の記載により定義される本発明の範囲は、その範囲内の変更、変形を包含するものとする。
【００２６】
【発明の効果】
以上説明したように、本発明においては、パイプの一端にフランジが取り付けられ他端が管路に挿入された取付台と、前記フランジ側から一部がパイプ内に挿入して設けられ中央部に孔を有する第１シール部材と、この第１シール部材を覆ってフランジ上に取り付けられた第２シール部材と、この第２シール部材の上部に固定された支持部材と、前記フランジに設けられた前記第１シール部材と第２シール部材の間の空間に貫通する貫通孔と、からなり、前記支持部材、第１、第２シール部材を貫通して前記管路に達するプローブを挿入するとともに、前記貫通孔から気体を注入する気体注入手段を設けた。
このように構成することによりＯリングが劣化しても、第１シール部材と第２シール部材の間の空間に空気やＮ２ガスのような気体で煙道ガスと同じか僅かに高い圧力をかけているので煙道ガスの漏れが発生しない。
また、炉内に挿入する部分がプローブなので煙道が高圧でも測定器の受ける力を少なくすることができる。
【００２７】
【図面の簡単な説明】
【図１】本発明のプローブ取付装置の実施形態の一例を示す構成図である。
【図２】従来例を示す構成図である。
【図３】他の従来例を示す構成図である。
【符号の説明】
１      配管（煙道）
６      ダストモニタ
６ａ    プローブ
１０取付台
１０ａ  パイプ
１０ｂ    フランジ
１２    第１シール部材（ＰＥＥＫ材）
１２ａ  第１挿入体
１２ｂ  第１キャップ
１２ｃ  押え板
１３    Ｏリング
１５    第２シール部材
１５ａ  第２挿入体
１５ｂ  第２キャップ
１５ｃ  鍔部
１５ｄ  凸部
１５ｅ  キャップ部材
１５ｆ  押え板
２０    支持板
２０ａ  孔
２１    支柱
２２    空間
【図１】
2004205251.tif 000003
【図２】
2004205251.tif 000004
【図３】
2004205251.tif 000005